(57)【特許請求の範囲】
【請求項１】
人体の腹側に位置する腹側部と背側に位置する背側部とを有する本体部と、
前記背側部の両側端部から突出する左右一対のテープ部と、
前記腹側部の外面に設けられたターゲット部と、を備える吸収性物品において、
前記テープ部の内面には、当該テープ部を前記ターゲット部に着脱自在に止着させる止着部材が備えられ、
前記テープ部又は前記ターゲット部は、前記吸収性物品の装着時における前記止着部材の止着位置を認識可能に跡付けする跡付け手段を備えていることを特徴とする吸収性物品。
【請求項２】
前記跡付け手段は、前記止着部材に隣接するよう前記テープ部に貼着されたシート部材であり、
前記シート部材は、前記吸収性物品の装着時に、前記ターゲット部に止着され、前記テープ部を前記ターゲット部から離脱させた時に、前記テープ部から剥離されて前記ターゲット部に止着された状態のままとなるように構成されることを特徴とする請求項１に記載の吸収性物品。
【請求項３】
前記跡付け手段は、前記止着部材にミシン目を介して隣接して設けられたシート部材であり、
前記シート部材は、前記吸収性物品の装着時に、前記ターゲット部に止着され、前記テープ部を前記ターゲット部から離脱させた時に、前記ミシン目から切り離されて前記ターゲット部に止着された状態のままとなるように構成されることを特徴とする請求項１に記載の吸収性物品。
【請求項４】
前記跡付け手段と前記ターゲット部とは、色彩及び／又は手触りが異なることを特徴とする請求項１〜３の何れか一項に記載の吸収性物品。
【請求項５】
前記跡付け手段は、前記止着部材の近傍に設けられ、インクを収容するインク収容部材であり、
前記インク収容部材は、前記吸収性物品の装着時に、所定の押圧力によって破れ、収容されたインクが外部に流出するように構成されることを特徴とする請求項１に記載の吸収性物品。
【請求項６】
前記左右一対のテープ部の各々は、上下並列に配された２つの基材を備え、
前記上下並列に配された２つの基材は、前記止着部材と前記跡付け手段とをそれぞれ備え、各々の前記跡付け手段によって互いに異なる色彩を前記ターゲット部に呈するように構成されることを特徴とする請求項１〜５の何れか一項に記載の吸収性物品。
【請求項７】
前記跡付け手段は、前記ターゲット部に設けられた感圧紙であり、
前記感圧紙は、前記吸収性物品の装着時に、所定の押圧力によって色が変化するように構成されることを特徴とする請求項１に記載の吸収性物品。
【発明の詳細な説明】
【技術分野】
【０００１】
本発明は、吸収性物品に関する。
【背景技術】
【０００２】
従来、吸収性物品の一つとして使い捨ての紙おむつが知られている。使い捨ての紙おむつとしては、パンツ型及びテープ式紙おむつが知られている。
このうちテープ式紙おむつにおいては、紙おむつ本体と、紙おむつ本体の背側の左右両側から側方に張り出すように設けられたテープ部と、テープ部を止着させるために紙おむつ本体の腹側に設けられたターゲット部と、が備えられた構成が一般的に知られている。
テープ式紙おむつを人体に装着させる際には、紙おむつの腹側部分と背側部分とを、着用者の腹部と背部とに当てた後、前記テープ部を、着用者の左右両脇からそれぞれ腹側に回り込ませて腹側のターゲット部に係止させることにより、紙おむつを固定する。
また、このテープ式紙おむつにおいては、紙おむつ本体の表面シートの左右の立体ギャザーシートの間にインナーパッドを配置し、当該インナーパッドを交換することにより、紙おむつを取り替える回数を減らすことも行われている。
こうしたテープ式紙おむつを装着するにあたって、テープ部の止着位置を調整することはおむつの着け心地を快適にするために重要である。このため、紙おむつを固定する際の係合位置確認用の目印として、細帯状のテープ部材を腹側部の略中央部に付設した構成が提案されている（例えば、特許文献１参照。）。
【先行技術文献】
【特許文献】
【０００３】
【特許文献１】特許第３４７２０２０号公報
【発明の概要】
【発明が解決しようとする課題】
【０００４】
しかしながら、特許文献１の紙おむつは、腹側中央部を認識可能としたものであるが、例えばインナーパッド交換時などにテープ部を外した場合には元の止着位置が分からなくなるため、テープ部を再止着する際に、締め付け具合を再度調整する必要があり手間が掛かるという問題があった。
また、テープ部を再止着した場合に、前回と同一箇所に再止着させることは困難であり、従って、着用者にとっては、テープ部が外される度に締め付け具合が変化するため、装着感が一定でないという問題があった。
【０００５】
本発明の課題は、テープ式の吸収性物品において、再止着の場合における締め付け具合の再調整の手間を軽減すると共に、再止着した場合の装着感の変化を防ぐことである。
【課題を解決するための手段】
【０００６】
前記課題を解決するために、請求項１に記載の発明は、
人体の腹側に位置する腹側部と背側に位置する背側部とを有する本体部と、
前記背側部の両側端部から突出する左右一対のテープ部と、
前記腹側部の外面に設けられたターゲット部と、を備える吸収性物品において、
前記テープ部の内面には、当該テープ部を前記ターゲット部に着脱自在に止着させる止着部材が備えられ、
前記テープ部又は前記ターゲット部は、前記吸収性物品の装着時における前記止着部材の止着位置を認識可能に跡付けする跡付け手段を備えていることを特徴とする。
【０００７】
請求項２に記載の発明は、請求項１に記載の吸収性物品において、
前記跡付け手段は、前記止着部材に隣接するよう前記テープ部に貼着されたシート部材であり、
前記シート部材は、前記吸収性物品の装着時に、前記ターゲット部に止着され、前記テープ部を前記ターゲット部から離脱させた時に、前記テープ部から剥離されて前記ターゲット部に止着された状態のままとなるように構成されることを特徴とする。
【０００８】
請求項３に記載の発明は、請求項１に記載の吸収性物品において、
前記跡付け手段は、前記止着部材にミシン目を介して隣接して設けられたシート部材であり、
前記シート部材は、前記吸収性物品の装着時に、前記ターゲット部に止着され、前記テープ部を前記ターゲット部から離脱させた時に、前記ミシン目から切り離されて前記ターゲット部に止着された状態のままとなるように構成されることを特徴とする。
【０００９】
請求項４に記載の発明は、請求項１〜３の何れか一項に記載の吸収性物品において、
前記跡付け手段と前記ターゲット部とは、色彩及び／又は手触りが異なることを特徴とする。
【００１０】
請求項５に記載の発明は、請求項１に記載の吸収性物品において、
前記跡付け手段は、前記止着部材の近傍に設けられ、インクを収容するインク収容部材であり、
前記インク収容部材は、前記吸収性物品の装着時に、所定の押圧力によって破れ、収容されたインクが外部に流出するように構成されることを特徴とする。
【００１１】
請求項６に記載の発明は、請求項１〜５に記載の吸収性物品において、
前記左右一対のテープ部の各々は、上下並列に配された２つの基材を備え、
前記上下並列に配された２つの基材は、前記止着部材と前記跡付け手段とをそれぞれ備え、各々の前記跡付け手段によって互いに異なる色彩を前記ターゲット部に呈するように構成されることを特徴とする。
【００１２】
請求項７に記載の発明は、請求項１に記載の吸収性物品において、
前記跡付け手段は、前記ターゲット部に設けられた感圧紙であり、
前記感圧紙は、前記吸収性物品の装着時に、所定の押圧力によって色が変化するように構成されることを特徴とする。
【発明の効果】
【００１３】
本発明によれば、テープ部又はターゲット部は、吸収性物品の装着時における止着部の止着位置を認識可能に跡付けする跡付け手段を備えている。
このため、テープ部をターゲット部から離脱させた際に、跡付け手段により前回の装着時のテープ部の止着位置を一目で認識できる。
よって、再止着の場合における締め付け具合の再調整の手間を軽減すると共に、再止着した場合の装着感の変化を防ぐことができる。
【図面の簡単な説明】
【００１４】
【図１】第１実施形態の紙おむつを示す展開平面図である。
【図２】図１の紙おむつを装着時の状態に組立てた斜視図である。
【図３】図１のIII−III線における断面図である。
【図４】第１実施形態の紙おむつに適用するインナーパッドを示す平面図である。
【図５】インナーパッドを配置した場合の図１のIII−III線における断面図である。
【図６】第１実施形態におけるテープ部及びターゲット部を示す拡大模式図であり、（ａ）は止着する前の状態、（ｂ）はテープ部をターゲット部に止着した状態、（ｃ）はテープ部をターゲット部から離脱させた後の状態を示している。
【図７】第１実施形態におけるテープ部及びターゲット部を示す拡大模式図であり、（ａ）は跡付け手段を着色した状態、（ｂ）は跡付け手段の手触りを変えた状態を示している。
【図８】テープ部の変形例を示す図であり、（a）は跡付け手段を止着部材の上面に設けた場合を示し、（ｂ）は跡付け手段を止着部材の基端部側に設けた場合を示している。
【図９】第２実施形態におけるテープ部を示す平面図である。
【図１０】第３実施形態におけるテープ部を示す平面図である。
【図１１】第４実施形態におけるターゲット部を示す平面図である。
【発明を実施するための形態】
【００１５】
以下、本発明の実施の形態を、図面を参照しながら詳細に説明する。但し、発明の範囲は図示例に限られない。
【００１６】
（第１実施形態）
本実施形態における吸収性物品として使い捨て紙おむつ（以下、紙おむつという。）１を例示して説明する。
【００１７】
図１、２に示すように、紙おむつ１は、紙おむつ本体である本体部１０と、本体部１０を人体に装着するためのテープ部２０、２０と、テープ部２０を係止させるためのターゲット部３０とを備えて構成されている。すなわち、紙おむつ１は、テープ部２０、２０をターゲット部３０に止着することで装着する止着式の紙おむつである。
【００１８】
紙おむつ１は、装着時に人体の股部を腹側から背側にかけて覆うように形成されている。
具体的には、本体部１０の一方の端部が人体の腹側に位置する腹側部１１を形成し、他方の端部が人体の背側に位置する背側部１２を形成し、腹側部１１と背側部１２との間が人体の股下に位置する股下部１３を形成する。
また、腹側部１１において股下部１３よりも両外側に延出した腹側延出部１１１、１１１と、背側部１２において股下部１３よりも両外側に延出した背側延出部（両側端部）１２１、１２１とは、紙おむつ１が装着された際に胴周り部１４を形成する。
なお、この際、例えば、背側部１２の胴周り方向に沿った縁部中央に、糸ゴム等の弾性部材（図示省略）を幅方向に沿って設け、この弾性部材により平面ギャザーを形成して、本体部１０を着用者の胴周りにフィットするように伸縮自在な構成としても良い。
【００１９】
また、股下部１３の両縁部は、腹側部１１から背側部１２に亘って、装着時に人体の脚周りを囲む脚周り部１５、１５を形成する。この脚周り部１５、１５には、その湾曲形状に合わせて糸ゴム等の弾性部材１５１がそれぞれ設けられ、この弾性部材１５１により平面ギャザーが形成され、着用者の脚周りに伸縮自在にフィットし、横漏れを防止するようになっている。なお、弾性部材１５１を、脚周り部１５、１５の湾曲形状に合わせず、直線状に配置して平面ギャザーを形成することとしても良い。
【００２０】
本体部１０は、人体との接触面側に設けられる透液性の不織布からなるトップシート１０ａと、装着時に人体との接触面と反対側の外部側に設けられる不透液性のバックシート１０ｂと、トップシート１０ａとバックシート１０ｂとの間に介装される吸収体１０ｃと、トップシート１０ａ側の吸収体１０ｃの両側部に、本体部１０の長手方向に沿って備えられるギャザーシート１０ｄ、１０ｄと、により主に構成される。
【００２１】
トップシート１０ａは、紙おむつ１を装着した際に人体に接する面に設けられ、体液を受けて、吸収体１０ｃまで輸送する役割を果たす、透液性のシートである。
トップシート１０ａは、不織布が好適に用いられ、具体的には、例えば、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用い得る。
【００２２】
バックシート１０ｂは、紙おむつ１を装着した際に人体に接する面と反対側の面に設けられ、体液などの紙おむつ１外部への染み出し、漏れ出しを防ぐ役割を果たす、不透液性のシートである。
バックシート１０ｂも、トップシート１０ａと同様に不織布が好適に用いられる。なお、バックシート１０ｂは、例えば、ポリエチレンやポリプロピレン等の少なくとも遮水性を有するシート材であって、ムレ防止の観点から透湿性を有するシート材であることが好ましい。
なお、トップシート１０ａ及びバックシート１０ｂの間に、ポリエチレンフィルムからなるシート材を挟むこととしても良い。
【００２３】
吸収体１０ｃは、例えば、綿やパルプ等の吸収性素材や、繊維或いはフィルム等のシート状基材と高吸収性ポリマーのような高吸水性樹脂とが組み合わされて形成された吸収体コアＳ１が、透液性のクレープ紙、不織布、孔開きシート等のシート材Ｓ２により覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
吸収体１０ｃは、単層構造であっても良いし、複数層に分かれた構造でも構わない。吸収体１０ｃは、人体の腹側部１１から両脚の間の股下部１３を通り背側部１２に亘る位置に装着されている。
【００２４】
ギャザーシート１０ｄ、１０ｄは、トップシート１０ａ側において、吸収体１０ｃの長手方向に沿った両側部に、腹側部１１から背側部１２に亘ってそれぞれ備えられている。
このギャザーシート１０ｄ、１０ｄの幅方向外側の部分は、吸収体１０ｃの側方でトップシート１０ａの上面に固着されている。また、このギャザーシート１０ｄ、１０ｄの幅方向内側の部分は、トップシート１０ａに固定されておらず、その長手方向に沿って複数の糸ゴム等の弾性部材１６…が略平行に備えられており、断面略く字状及び逆く字状に立ち上がって着用者の体型に合わせて伸縮自在に変形可能な立体ギャザーが形成されている。
【００２５】
また、ギャザーシート１０ｄ、１０ｄの間には、インナーパッドＰを配置することとしても良い。
インナーパッドＰは、例えば、尿取りパッド、失禁パッド等であり、体液の吸収に対して紙おむつ１を補助するためのものであると共に、紙おむつ１そのものの取換え頻度を少なくすることにより使用コストを抑えるためのものでもある。インナーパッドＰは、例えば、図４、５に示すように、透液性のトップシートＰ１、不透液性のバックシートＰ２、当該トップシートＰ１とバックシートＰ２との間に介装される吸収部Ｐ３等を備えて、紙おむつ１の吸収体１０ｃと略同形状に形成されている。吸収部Ｐ３は、吸収体１０ｃと同様に、例えば、綿やパルプ等の吸収性素材や、高吸収性ポリマーのような高吸水性樹脂とが組み合わされて形成された吸収体コア（図示省略）が、透液性のクレープ紙等のシート材（図示省略）により包まれて覆われたものにより構成されており、体液としての尿等の水様成分を吸収するものである。
【００２６】
そして、図５に示すように、インナーパッドＰは、例えば、紙おむつ１のトップシート１０ａ上に、ギャザーシート１０ｄ、１０ｄの間に配置される。ギャザーシート１０ｄ、１０ｄは略く字状に立ち上がっており、インナーパッドＰの側部がギャザーシート１０ｄ、１０ｄにより固定されるようになっている。固定方法としては、例えば、インナーパッドＰのバックシートＰ２に粘着部（図示省略）を設け、この粘着部にトップシート１０ａを着脱自在に接着させる。
【００２７】
テープ部２０、２０は、背側部１２の背側延出部１２１、１２１の左右側方において、それぞれ外側に向かって突出して備えられている。
本実施形態においては、左右のテープ部２０、２０は、それぞれ、上下並列に配された２枚のシート基材２１、２１を備えて構成されている。
各シート基材２１は、例えばポリエチレンやポリプロピレン等の各種のプラスチックフィルムを、所定の厚さに形成した基材シートであり、その基端部が紙おむつ１に接合されている。なお、シート基材２１の基端部は、トップシート１０ａやバックシート１０ｂの内面又は外面に貼り付けても良いし、トップシート１０ａとバックシート１０ｂとの間に挟んで固定しても良い。
【００２８】
シート基材２１の先端部の内面（ターゲット部３０と対向する面）には、第１ファスニングテープ（止着部材）２２、及び第２ファスニングテープ（シート部材）２３が隣接して設けられている。
【００２９】
第１ファスニングテープ２２の表面には、面ファスナのオス材の係止要素である、鉤状、きのこ状、錨状等の多数の突起が形成されたフック材が設けられており、ターゲット部３０の係止層３１（後述）と係合させるようになっている。また、第１ファスニングテープ２２の裏面はシート基材２１に固着されている。
テープ部２０は、第１ファスニングテープ２２によって、ターゲット部３０に着脱自在に止着可能となっている。
【００３０】
第２ファスニングテープ２３の表面にも、面ファスナのオス材の係止要素である、鉤状、きのこ状、錨状等の多数の突起が形成されたフック材が設けられており、ターゲット部３０の係止層３１と係合させるようになっている。また、第２ファスニングテープ２３の裏面は、シート基材２１から剥離可能に構成されている。
【００３１】
具体的には、第２ファスニングテープ２３の裏面には、介護者又は着用者の力で剥離可能な接着力の接着層（図示省略）が設けられており、紙おむつ１の装着前には当該接着層によって第２ファスニングテープ２３はシート基材２１に接着されている（図６（ａ）参照）。
そして、紙おむつ１の装着時に、第２ファスニングテープ２３は、第１ファスニングテープ２２と共にターゲット部３０に止着され（図６（ｂ）参照）、テープ部２０をターゲット部３０から離脱させた時に、シート基材２１（テープ部２０）から剥離されてターゲット部３０に止着された状態のままとなるように構成されている（図６（ｃ）参照）。
【００３２】
このように第２ファスニングテープ２３がシート基材２１（テープ部２０）から剥離されてターゲット部３０に止着された状態のままとなるため、テープ部２０を再止着する際に、テープ部２０の元の止着位置を認識できる。即ち、第２ファスニングテープ２３は、紙おむつ１の装着時における第１ファスニングテープ２２の止着位置を認識可能に跡付けする跡付け手段となっている。
【００３３】
なお、第２ファスニングテープ２３は、第１ファスニングテープ２２の止着位置の目印となればその寸法は限定されるものではないが、幅は、最大でテープ部２０と同じ幅とし、最少で１ｍｍとすることが好ましい。また、長さは、最大で３０ｍｍで、最少で１ｍｍとすることが好ましい。この範囲内の寸法であれば、実際の使用に際して使い勝手が損なわれることはない。
また、第２ファスニングテープ２３は、シート基材２１から剥離可能に構成されていれば良く、例えば接着層の代わりにフック材を備えた構成であっても良い。この場合、シート基材２１にはループ材が備えられる。
【００３４】
ここで、第２ファスニングテープ２３は、図６（ｃ）に示すように、ターゲット部３０とは異なる色彩となるよう着色がなされていることが好ましい。その色彩は特に限定されないが、例えば、赤、青、オレンジ、緑、等の濃色であれば、ターゲット部３０との色の違いを一目で認識できるため好ましい。
このように第２ファスニングテープ２３が、ターゲット部３０と異なる色彩となるよう着色がなされていることにより、第２ファスニングテープ２３の位置が見分けやすく、テープ部２０の再止着をより容易に行うことができる。
なお、第２ファスニングテープ２３に所定の図柄を設けることとしても同様の効果を得ることができる。
【００３５】
また、図７（ａ）に示すように、各テープ部２０において上下並列に配された２つのシート基材２１、２１の第２ファスニングテープ２３、２３は、互いに異なる色彩をターゲット部３０に呈するように構成することが好ましい。
このように構成した場合、計４つの第１ファスニングテープ２２の止着位置を、より簡単に見分けることができる。
更に、シート基材２１、２１のそれぞれの色を、第２ファスニングテープ２３、２３のそれぞれの色と同じ色にすることが好ましい。
このように構成した場合、どのシート基材２１がどの第２ファスニングテープ２３に対応しているか、一目で見分けることができる。
なお、上下並列に配された２つのシート基材２１、２１の第２ファスニングテープ２３、２３が、同一の色彩を呈するように構成しても良いのは勿論である。
【００３６】
また、第２ファスニングテープ２３は、ターゲット部３０とは異なる手触りとなるように構成することもできる。
具体的には、図７（ｂ）に示すように、例えば、第２ファスニングテープ２３の縁部を縁取りすることで介護者や着用者が手で触れた際に第２ファスニングテープ２３の位置を認識できるようにすることができる。
このように構成した場合、例えば暗所等でテープ部２０、２０の止着作業を行う場合にも、第２ファスニングテープ２３の位置が認識し易く、テープ部２０の再止着をより容易に行うことができる。
なお、第２ファスニングテープ２３は、色彩及び手触りの両方を、ターゲット部３０とは異なるように構成することとしても良い。この場合、視覚及び触覚によって第２ファスニングテープ２３の位置が認識できるため、より好ましい。
【００３７】
ターゲット部３０は、腹側部１１における外面であるバックシート１０ｂ側に備えられる。
ターゲット部３０は、テープ部２０、２０のファスニングテープ２３を係止するためのメス材の係止要素である係止層３１を備えている。
係止層３１は、基材シートにループ状の繊維であるループ材（図示省略。）が配置されて構成されている。このループ材は、ファスニングテープ２３の表面に形成されたフック材と機械的に係合する。すなわち、ループ材の表面にフック材を重ね合わせ、フック材の多数の突起をループ材の表面に係合させることにより、両部材を着脱可能な状態に、且つ、強固に固着させることができる。
【００３８】
なお、ファスニングテープ２３のフック材は、ループ材以外にも、織布、不織布、フェルト、パイル等の繊維状の表面を有する素材にも係合させることが可能である。具体的には、例えば、ポリエチレン、ポリプロピレン、ポリエチレンテレフタレート、ナイロンなど、広く知られた汎用性の高い可塑性素材からなる単組成の素材若しくは複合組成の素材を用いることができる。なお、この場合、長繊維で構成されるスパンボンド不織布を用いるのが好ましい。これは、短繊維であるポイントボンド不織布やエアスルー不織布では繊維の長さが短いため抜けやすく、強度が不足するからであって、連続長繊維で構成され、カット面からのほつれが少なく、毛羽立ちによる繊維の脱落が少ないスパンボンド不織布が力学的性能や生産性といった点で優れるからである。
【００３９】
次に、紙おむつ１の使用方法について説明する。
先ず、初回装着時において、紙おむつ１の背側部１２を着用者の背側に当接させるようにして、紙おむつ１を着用者の体の下に置く。
次に、股下部１３を股下に当接させながら腹側部１１を腹側に引き上げ、腹側部１１の中心を人体の中心に合わせる。
次に、背側部１２の背側延出部１２１、１２１に設けられたテープ部２０、２０を、人体と紙おむつ１との間に隙間ができないように腹側部１１に設けられたターゲット部３０に係止させ紙おむつ１を装着する。なお、この際、本実施形態においては、各テープ部２０の上下並列に配された２枚のシート基材２１、２１を互いに交差させて止着することで、締め付け強度等の調整を行うことができる。
【００４０】
一方、インナーパッドＰ交換時において、テープ部２０、２０を外した場合、第２ファスニングテープ２３は、シート基材２１（テープ部２０）から剥離されてターゲット部３０に止着された状態のままとなる。
そして、その後、テープ部２０、２０を再止着する場合、ターゲット部３０に残った、第２ファスニングテープ２３を目印として、テープ部２０、２０を止着する。
【００４１】
以上にように、本実施の形態による紙おむつ１によれば、テープ部２０、２０は、紙おむつ１の装着時における第１ファスニングテープ２２の止着位置を認識可能に跡付けする跡付け手段としての第２ファスニングテープ２３を備えている。
このため、テープ部２０、２０をターゲット部３０から離脱させた際に、第２ファスニングテープ２３により前回の装着時のテープ部２０、２０（第１ファスニングテープ２２、２２）の止着位置を一目で認識できる。
よって、再止着の場合における締め付け具合の再調整の手間を軽減すると共に、再止着した場合の装着感の変化を防ぐことができる。
【００４２】
また、本実施の形態による紙おむつ１によれば、第２ファスニングテープ２３とターゲット部３０とは、色彩及び／又は手触りが異なるため、テープ部２０、２０の再止着の際に、止着位置の認識が容易となる。
【００４３】
また、本実施の形態による紙おむつ１によれば、左右一対のテープ部２０、２０の各々は、上下並列に配された２つの基材を備え、上下並列に配された２つのシート基材２１、２１は、第１ファスニングテープ２２、第２ファスニングテープ２３をそれぞれ備え、各第２ファスニングテープ２３によって、互いに異なる色彩をターゲット部３０に呈するように構成されるため、計４つの第２ファスニングテープ２３の止着位置を、より簡単に見分けることができる。
【００４４】
なお、上記第１実施形態においては、第２ファスニングテープ２３は、第１ファスニングテープ２２の先端側に隣接した構成を例示して説明したが、第２ファスニングテープ２３は、第１ファスニングテープ２２の止着位置を認識可能な位置に設けられれば良く、例えば図８（ａ）に示すように、第１ファスニングテープ２２の上面に接着することとしても良いし、例えば図８（ｂ）に示すように、第１ファスニングテープ２２の基端側に隣接することとしても良い。
【００４５】
（第２実施形態）
次に、第２実施形態の紙おむつについて説明する。
なお、第２実施形態の紙おむつは、以下に説明する跡付け手段以外の構成は、上記第１実施形態と同様であるのでその説明を省略する。
図９に示すように、紙おむつ（図示省略）のテープ部２０ａには、第１ファスニングテープ２２と第２ファスニングテープ（シート部材）２３ａとが、ミシン目Ｌを介して隣接して設けられている。この第２ファスニングテープ２３ａは、裏面に接着層を有しておらず、従って、ファスニング基材２１には貼着されていない。本実施形態においては、この第２ファスニングテープ２３ａが跡付け手段となっている。
第２ファスニングテープ２３ａは、紙おむつの装着時に、ターゲット部３０に止着され、テープ部２０ａをターゲット部３０から離脱させた時に、ミシン目Ｌから切り離されてターゲット部３０に止着された状態のままとなるように構成されている。
従って、テープ部２０ａをターゲット部３０から取り外した際に、テープ部２０ａの元の止着位置を認識できることとなる。
なお、上記第２実施形態においては、第２ファスニングテープ２３ａは、第１ファスニングテープ２２の先端側に隣接した構成を例示して説明したが、第１ファスニングテープ２２の基端側に隣接することとしても良い。
【００４６】
また、上記第１実施形態及び第２実施形態においては、第２ファスニングテープ２３、２３ａは、長方形状であるものとして説明したが、第１ファスニングテープ２２の止着位置を認識させるものであればその形状は限定されるものではなく、例えば円形状、正方形状、五角形状、等であっても良い。
【００４７】
（第３実施形態）
次に、第３実施形態の紙おむつについて説明する。
なお、第３実施形態の紙おむつ（図示省略）は、以下に説明する跡付け手段以外の構成は上記第１実施形態と同様であるので、その説明を省略する。
図１０に示すように、紙おむつのテープ部２０ｂには、第１ファスニングテープ２２の先端側に、ターゲット部３０と異なる所定の色のインクを収容したインク収容部材としてのケース２４が備えられている。本実施形態においては、このケース２４が跡付け手段となっている。
ケース２４は、紙おむつの装着時に、介護者がケース２４に所定の力を加えることで破れ、収容されたインクが外部に流出するように構成されている。
従って、テープ部２０ｂをターゲット部３０から取り外した際に、テープ部２０ｂの元の止着位置を視覚にて認識できることとなる。
【００４８】
（第４実施形態）
以下、第４実施形態の紙おむつについて説明する。
なお、第４実施形態の紙おむつ（図示省略）は、以下に説明する跡付け手段以外の構成は上記第１実施形態と同様であるので、その説明を省略する。
図１１に示すように、紙おむつのターゲット部３０Ａには、当該ターゲット部３０Ａの長手方向に沿った感圧紙３２が備えられている。本実施形態においては、この感圧紙３２が跡付け手段となっている。
感圧紙３２は、紙おむつの装着時に、介護者又は着用者がテープ部２０に上面から所定の力を加えることでその力の加えられた箇所が変色するように構成されている。
従って、テープ部２０を取り外した際に、テープ部２０の元の止着位置を視覚にて認識できることとなる。
【００４９】
なお、以上に説明した第１乃至第４実施形態は、本発明を例示したに過ぎず、適宜変更可能である。
例えば、インナーパッドＰを備えた構成の紙おむつを例示して説明したが、インナーパッドＰを備えない構成であっても良い。
【００５０】
また、左右のテープ部２０、２０は、それぞれ、上下並列に配された２枚のシート基材２１、２１にて構成されるものとして説明しているが、左右それぞれ１枚ずつのサイドパネルにて構成してもよい。
また、左右のテープ部２０、２０の何れか一方をベルト状の長尺形状に形成し、その先端部を他方に止着させる構成とすることもできる。
即ち、左右のテープ部２０、２０がいかなる形状であったとしても、上記の第１乃至第４実施形態で例示したような跡付け手段を設けることで、初回装着時のテープ部２０の止着位置を認識可能とすることができる。
【符号の説明】
【００５１】
１  紙おむつ（吸収性物品）
１０  本体部
１１  腹側部
１２  背側部
１２１背側延出部（側端部）
１３  股下部
１４  胴周り部
１５  脚周り部
２０、２０ａ、２０ｂ  テープ部
２１シート基材
２２  第１ファスニングテープ（止着部材）
２３  第２ファスニングテープ（シート部材、跡付け手段）
２３ａ  第２ファスニングテープ（シート部材、跡付け手段）
２４  ケース（インク収容部材、跡付け手段）
Ｌ    ミシン目
３０、３０Ａ  ターゲット部
３１  係止層
３２  感圧紙（跡付け手段）
Ｐ  インナーパッド
【図１】
0005405254.tif 000002
【図２】
0005405254.tif 000003
【図３】
0005405254.tif 000004
【図４】
0005405254.tif 000005
【図５】
0005405254.tif 000006
【図６】
0005405254.tif 000007
【図７】
0005405254.tif 000008
【図８】
0005405254.tif 000009
【図９】
0005405254.tif 000010
【図１０】
0005405254.tif 000011
【図１１】
0005405254.tif 000012